【事件の表示】
　特願２０１４−５５３０３号「照明装置」拒絶査定不服審判事件〔平成２７年１０月８日出願公開、特開２０１５−１７９５６７号公報、請求項の数（３）〕について、次のとおり審決する。
【結　論】
　原査定を取り消す。
　本願の発明は、特許すべきものとする。
【理　由】
第１　手続の経緯 
  
　本願は、平成２６年３月１８日に特許出願をしたものであって、平成２８年３月１０日付けで拒絶理由が通知され、同年５月２０日付けで意見書及び手続補正書が提出され、同年７月１２日付けで拒絶理由が通知され、同年９月２日付けで意見書及び補正書が提出され、平成２９年２月２３日付けで拒絶査定（以下「原査定」という。）がされ、これに対し、同年６月８日付けで拒絶査定不服審判が請求されると同時に手続補正書が提出されたものである。 
  
 第２　原査定（平成２９年２月２３日付け拒絶査定）の概要 
　この出願については、平成２８年７月１２日付け拒絶理由通知書に記載した以下の理由によって、拒絶をすべきものである。  
  
　この出願の請求項１に係る発明は、引用文献１〜５に記載された発明に基いて、請求項２に係る発明は、引用文献１〜６に記載された発明に基いて、請求項３に係る発明は、引用文献１〜７に記載された発明に基づいて、その出願前にその発明の属する技術の分野における通常の知識を有する者が容易に発明をすることができたものであるから、特許法第２９条第２項の規定により特許を受けることができない。 
  
 引用文献等一覧 
１．特開２０１３−５１１９３号公報
２．特開２０１０−１６５５５０号公報
３．特開２０１２−１７４３５３号公報
４．特開２０１３−４１６７０号公報
５．特開平５−２４８０１８号公報
６．特開２００７−２６５６４６号公報
７．特開２０１１−６０４２８号公報 
  
第３　審判請求時の補正について
１　補正の内容
　平成２９年６月８日付けの手続補正による補正（以下、「本件補正」という。）は、特許請求の範囲を補正するものであって、補正後の記載を示すと以下のとおりである（下線は補正箇所を示し、本件補正において付されたとおりである。）。
「【請求項１】
　両端が開放した円筒状透光パイプ内には、同透光パイプの両端間内に収まる全長寸法とした平板状ベース板表面に、ラインＬＥＤ群、同裏面にＬＥＤ用電源を搭載した光源ユニットが収容され、該透光パイプの両端には、夫々透光パイプの円環状端を上回る外径とした一対の円板状体からなり、該透光パイプの円環状端に対峙する内側壁に、同透光パイプの円環状端が、該透光パイプ円環状端の先端に対応する円環状パッキンを介在させて嵌合可能な内外径および深さに設定した円環状シール溝が刻設されると共に、該円環状シール溝内径より内側には、当該光源ユニットベース板の端縁を嵌合可能な一文字状の片支持溝が、略水平であって、何れか一方に配されることになるハーネス接続用プラグ形成に支障のない上方位置に刻設されると共に、各一文字状の左右巾方向中心を外した２箇所夫々には取付け孔が貫通、穿設された一対の熱伝導性に秀でた素材製の防水蓋が、同円環状シール溝内底部に円環状パッキンを挟み込み、同一文字状の片支持溝にベース板の端縁を伝熱可能にして挿入され、先の取付け孔夫々から、それら取付け孔に対応、形成されている光源ユニットのベース板端縁の各一対
合計４箇所の否貫通型めくら穴状の
、該透光パイプ両端毎に独立した合計４本の
て該透光パイプの両端の夫々に独立型となる
てなり、該透光パイプ両端毎に夫々独立型とされた前記緊締機構、該透光パイプ、該光源ユニットの平板状ベース板、および、一対の防水蓋の組み合わせが、互いの結合構造を相乗的に簡素化し、小型化および重量の軽量化を可能なものとされた
【請求項２】
　ベース板表面に搭載するラインＬＥＤ群が、同ベース板の全長寸法方向に延伸し、同ベース板の幅寸法方向両端がわに基端を支持し、上向き先端を互いに近接するよう断面八字状に傾斜させた一対の熱伝導性角度板の各外向き先端壁に沿って搭載されてなるものとした、請求項１記載の照明装置。
【請求項３】
　透光パイプが、光拡散材を混入してなる透明または半透明の合成樹脂製のものとされてなる、請求項１または２何れか一記載の照明装置。」
２　補正の適否
　本件補正は、補正前の請求項１に記載した発明を特定するために必要な事項である以下の各点について、補正をしたものである。
　Ａ　「各一対のネジ孔」が、「合計４箇所の否貫通型めくら穴状」であるとした。
　Ｂ　「締付ネジ」が、「該透光パイプ両端毎に独立した合計４本」であるとした。
　Ｃ　「緊締機構」、「透光パイプ」、「光源ユニットの平板状ベース板」及び「一対の防水蓋」が、「該透光パイプ両端毎に夫々独立型とされた前記緊締機構、該透光パイプ、該光源ユニットの平板状ベース板、および、一対の防水蓋の組み合わせが、互いの結合構造を相乗的に簡素化し、小型化および重量の軽量化を可能なもの」であるとした。
（１）Ａについて
　「各一対のネジ孔」が、「合計４箇所の否貫通型めくら穴状」であるとする補正は、願書に最初に添付した明細書、特許請求の範囲又は図面（以下、単に「当初明細書等」という。）の「緊締機構７は、各防水蓋５，５の外側壁５１，５１から同内側壁５０，５０の各一文字状片支持溝５３，５３の中心を外した２箇所夫々に貫通するよう取付け孔７０，７０を穿設し、夫々の取付け孔７０，７０に対応する光源ユニット３ベース板３０の端縁３３，３３には、各一対のネジ孔７１，７１、および、該防水蓋５，５外側壁５１，５１から各取付け孔７０，７０を通り、ベース板３０端縁３３．３３の各ネジ孔７１，７１に螺合する、各防水蓋５，５夫々２本ずつの締付ネジ７２，７２，……からなるものとし、各締付ネジ７２，７２，……を締め付け、各防水蓋５，５を夫々該透光パイプ２の両端２０，２０に向けて押圧し、各円環状パッキン６を圧縮・密封状とするよう装着してなるものとしている。」（【００２９】）の記載、図１０、図１２〜図１４の図示内容等に基づいて、補正前の請求項１に記載した発明を特定するために必要な事項を限定するものであつて、その補正前の請求項１に記載された発明とその補正後の請求項１に記載される発明の産業上の利用分野及び解決しようとする課題が同一であり、新規事項を追加するものではない。また、本件補正は、その補正前に受けた拒絶理由通知において特許をすることができないものか否かについての判断が示された発明と、その補正後の特許請求の範囲に記載される事項により特定される発明とが、特許法第３７条の単一性の要件を満たす一群の発明に該当するものとなるようにされたものであることも明らかである。
（２）Ｂについて
　「締付ネジ」が、「該透光パイプ両端毎に独立した合計４本」であるとする補正は、（１）において摘示した記載等に基づいて、補正前の請求項１に記載した発明を特定するために必要な事項を限定するものであつて、その補正前の請求項１に記載された発明とその補正後の請求項１に記載される発明の産業上の利用分野及び解決しようとする課題が同一であり、新規事項を追加するものではない。また、本件補正は、その補正前に受けた拒絶理由通知において特許をすることができないものか否かについての判断が示された発明と、その補正後の特許請求の範囲に記載される事項により特定される発明とが、特許法第３７条の単一性の要件を満たす一群の発明に該当するものとなるようにされたものであることも明らかである。
（３）Ｃについて
　「緊締機構」、「透光パイプ」、「光源ユニットの平板状ベース板」及び「一対の防水蓋」が、「該透光パイプ両端毎に夫々独立型とされた前記緊締機構、該透光パイプ、該光源ユニットの平板状ベース板、および、一対の防水蓋の組み合わせが、互いの結合構造を相乗的に簡素化し、小型化および重量の軽量化を可能なもの」であるとする補正は、当初明細書等の「加えて、各防水蓋の内側壁に刻設した環状シール溝内径より内側に、片支持溝を刻設したものとすることにより、透光パイプの両端に各防水蓋を装着すると共に、透光パイプ内の所望位置に光源ユニットベース板の端縁を嵌合状支持可能なものとしてあることから、部品構成を簡素化できると共に、組立工数を大幅削減して生産効率を一段と高めたものとすることが可能であり、しかも、緊締機構が、防水蓋の外側壁から同内側壁片支持溝に貫通する１個または複数個の取付け孔、各取付け孔に対応する光源ユニットベース板の端縁に穿設した１個または複数個のネジ孔および該防水蓋外側壁から各取付け孔を通り、ベース板端縁の各ネジ孔に螺合する１本または複数本の締付ネジからなるものとすることにより、同緊締機構を簡素化し、照明装置の一層の小型・軽量化を達成可能なものとすることができる利点が得られる。」（【００１１】）の記載等に基づいて、補正前の請求項１に記載した発明を特定するために必要な事項を限定するものであつて、その補正前の請求項１に記載された発明とその補正後の請求項１に記載される発明の産業上の利用分野及び解決しようとする課題が同一であり、新規事項を追加するものではない。また、本件補正は、その補正前に受けた拒絶理由通知において特許をすることができないものか否かについての判断が示された発明と、その補正後の特許請求の範囲に記載される事項により特定される発明とが、特許法第３７条の単一性の要件を満たす一群の発明に該当するものとなるようにされたものであることも明らかである。
　したがって、本件補正は、特許法第１７条の２第３項及び第４項の規定に適合するものであり、また、補正前の請求項１に記載された発明と、補正後の請求項１に記載される発明の産業上の利用分野及び解決しようとする課題が同一であるので、本件補正は、特許法第１７条の２第５項第２号に掲げられた特許請求の範囲の減縮を目的とするものに該当する。
　そして、後記「第４　本願発明」及び「第５　当審の判断」に示すように、補正後の請求項１に係る発明は、独立特許要件を満たすものである。
第４　本願発明 
  
　本願の請求項１〜３に係る発明（以下「本願発明１〜３」という。）は、平成２９年６月８日付けの手続補正により補正された、上記「第３　審判請求時の補正について　１　補正の内容」において摘示した特許請求の範囲の請求項１〜３に記載された事項により特定されるものである。 
第５　当審の判断 
１　引用文献の記載事項 
（１）　引用文献１の記載事項 
　引用文献１には、以下の記載がある（下線は当審で付した。以下同様。）。 
（１ａ）「【特許請求の範囲】
【請求項１】
　
両端が開放した筒状のグローブに光源ユニットを収め、前記グローブの両端縁の各々を閉塞部材に挿入して閉じた照明装置において、
　
前記グローブの端縁と前記閉塞部材の間に防水パッキンを備え、
　
前記防水パッキンは、前記グローブの端縁によって押圧変形して前記閉塞部材との間をシールする第１シール部と、前記グローブ端部の外側面と前記閉塞部材との間に挟まれてシールする第２シール部とを一体に備えることを特徴とする照明装置。」
（１ｂ）「【００１３】
　以下、本発明の実施の形態を、図面を参照しながら説明する。
＜第１実施形態＞
　図１は、本発明を適用した実施形態に係る照明装置１の斜視図であり、図２（Ａ）は、照明装置１の断面図である。照明装置１は、共同溝、横断地下道、カルバート、ダム監査路、トンネル避難抗等で照明装置として用いられる。
　
図１、及び、図２（Ａ）に示すように、照明装置１は、筒状のグローブ１１を備え、このグローブ１１に光源ユニット２０を収めて構成されている。
光源ユニット２０は、
ＬＥＤユニットである場合を例に説明する。
　
グローブ１１は、透過性のある材料、例えば樹脂材を用いて、断面略円形状に形成されている。グローブ１１は、両端部１２が開放しており、両端部１２の両端縁１３の各々は、閉塞部材３０に挿入されて閉じられる。閉塞部材３０は、例えば、アルミニウム合金を用いて、ダイキャストによって形成することができる。
（１ｃ）「【００１６】
　閉塞部材３０は、底部４０Ａ、及び、環状部４０Ｂを備える有底環状に形成される（図４参照）。ＬＥＤユニット２０は、グローブ１１の外側から、
閉塞部材３０の底部４０Ａに固定面２９を密着させて、閉塞部材３０の外側からグローブ１１の同軸方向に差し込んだねじ５でねじ止めされ
閉塞部材３０の環状部４０Ｂの外周の所定位置には、台座部３１が一体に設けられる。この台座部３１には、照明装置１を設置面に取り付けるための取付脚３８が固定される。
【００１７】
　取付脚３８は、係止部３３によって係止されるとともに、ねじ２で台座部３１にねじ止めされる固定部３８Ａと、この固定部３８Ａの両端側に延出する取付部３８Ｂとを備える角バンドである。取付部３８Ｂには、取付孔３９が設けられる。照明装置１は、この取付孔３９を天井等の設置面から延びる不図示のアンカーボルトに固定して任意の場所に取り付けられる。この構成によれば、取付脚３８がアンカーボルトに固定されている状態で、係止部３３が取付脚３８から脱落することは無い為、例えばねじ２の腐食等によってねじ２が脱落してしまった場合でも、照明装置１は、係止部３３によって係止され、照明装置１が落下するのを防止することができる。これにより、取付脚３８を一箇所だけねじ２で台座部３１にねじ止めし、コストの削減を図ることができ、ねじ２が脱落してしまった場合でも照明装置１が落下するのを防止することができる。
【００１８】
　閉塞部材３０には、外側から板材１７Ａ，１７Ｂがねじ３でねじ止めされる。板材１７Ａ，１７Ｂには、外周の一部を切り欠いて切欠き１８が形成される。閉塞部材３０には、切欠き１８と対応する位置に凸部３７が形成されている。板材１７Ａ，１７Ｂは、閉塞部材３０に対して、この切欠き１８を凸部３７に合わせることで位置決めされる。板材１７Ａには、ＬＥＤユニット２０に電源を供給する配線が接続されるプラグ１９が取り付けられる。照明装置１には、一方側から配線が接続されるが、閉塞部材３０を共通部品化したため、配線が接続されない他方側に取り付けられる閉塞部材３０にも同様に配線孔４３が設けられる。板材１７Ｂは、円形平板状に形成され、配線孔４３、及び、ＬＥＤユニット２０をねじ止めするねじ５が通るねじ孔４１を外側から塞ぐように構成されている。
【００１９】
　図３は、照明装置１の展開図である。図３に示すように、
ＬＥＤユニット２０は、ＬＥＤモジュール２５と、電源モジュール２１と、ＬＥＤモジュール２５、及び、電源モジュール２１を一体に支持する支持体２４と、を備える。ＬＥＤモジュール２５は、ＬＥＤ基板２６と、このＬＥＤ基板２６に並べて複数実装されるＬＥＤ２７と、を備える。
照明装置１は、各ＬＥＤ基板２６に８個のＬＥＤ２７を並べて実装すると共に、断面略Ｖ字状に形成された支持体２４の底面２４Ａに、４つのＬＥＤモジュール２５を取り付けて構成されている。
【００２０】
　電源モジュール２１は、コンデンサやトランジスタ等が実装された電源基板２３と、電源基板２３を保持する基板ホルダー２２と、電源基板２３を覆うカバー２２Ｂと、を備える。基板ホルダー２２には、基板ホルダー２２を支持体２４にねじ止めするねじ孔２２Ａが設けられる。
　支持体２４は、例えばアルミニウム等の高熱伝導性材料をプレス等で任意の形状に折り曲げて形成される。
支持体２４は、底面２４Ａに取り付けられたＬＥＤ基板２６に実装されるＬＥＤ２７の発熱を吸収するヒートシンクとしての役割を備え、
中空部２４Ｃには、この取付具２８に取り付けられる電源モジュール２１が、支持体２４と接触しないように収められる。
【００２１】
　これらの構成によれば、高熱伝導性材料で形成された支持体２４をヒートシンクとして用いてＬＥＤモジュール２５の熱を支持体２４で吸収することができる。
また、支持体２４の固定面２９をアルミダイキャスト製の閉塞部材３０の底部４０Ａに密着させて固定したため、支持体２４で吸収したＬＥＤモジュール２５の熱を高熱伝導性材料であるアルミニウム合金などから形成される閉塞部材３０に熱伝導して、閉塞部材３０を介して効率よく照明装置１の外に放熱させることができる。
【００２２】
　
閉塞部材３０の底部４０Ａには、ＬＥＤユニット２０への配線を通す配線孔４３が、円盤状の底部４０Ａの略中央に設けられている。底部４０Ａには、この配線孔４３の外側に対角線上の対称位置に４箇所のねじ孔４１が設けられる。ＬＥＤユニット２０は、閉塞部材３０に、このねじ孔４１に外側から通されるねじ５で、支持体２４の固定面２９を密着させてねじ止めされる。
【００２３】
　閉塞部材３０は、グローブ１１の端部１２の各々を閉じる閉塞部材３０を共通部材化することにより、アルミダイキャストの金型の製造コストを削減することができる。閉塞部材３０の外側からは、一方の端部１２側に板材１７Ａが、他方の端部１２側に板材１７Ｂが取り付けられる。板材１７Ａには、プラグ１９が接続されると共に、このプラグ１９に接続された配線が通る貫通孔４８が設けられる。一方、板材１７Ｂは閉塞部材３０の外側から、閉塞部材３０の配線孔４３を塞ぐように構成されている。」
 
（１ｄ）「【００２８】
　
また、環状部４０Ｂの背面３０Ｂ側には、底部４０Ａの外周に沿って、凹部３４が設けられる。この凹部３４には、図３に示すように、防水パッキン５０の第１シール部５１がグローブ１１の端縁１３によって閉塞部材３０に押し込まれる。これにより、この凹部３４内で第１シール部５１が押圧変形し、グローブ１１の端縁１３と、閉塞部材３０との間がシールされる。防水パッキン５０は、シリコンゴム等の耐熱・耐水性に優れた弾性部材から形成される。
【００２９】
　
防水パッキン５０は、図５に示すように、第１シール部５１と、第２シール部５２とが断面略Ｌ字状に一体に形成されている。
（１ｅ）
　引用文献１には、以下の図が記載されている。
【図３】
【図４】
（１ｆ）
　「ＬＥＤモジュール２５は、ＬＥＤ基板２６と、このＬＥＤ基板２６に並べて複数実装されるＬＥＤ２７と、を備える。」（摘示（１ｃ）【００１９】）の記載、「支持体２４は、底面２４Ａに取り付けられたＬＥＤ基板２６に実装されるＬＥＤ２７の発熱を吸収するヒートシンクとしての役割を備え、」（摘示（１ｃ）【００２０】）の記載及び「中空部２４Ｃには、この取付具２８に取り付けられる電源モジュール２１が、支持体２４と接触しないように収められる。」（摘示（１ｃ）【００２０】）の記載を踏まえれば、図３（摘示（１ｅ））から、「ＬＥＤモジュール２５」は「支持体２４」の「底面２４Ａ」に取り付けられ、「電源モジュール２１」は「底面２４Ａ」の裏面に形成された「中空部２４Ｃ」に「取付け具２８」により取り付けられていることが看取される。
（２）　引用文献２の記載事項 
 　引用文献２には、以下の記載がある。
（２ａ）「【技術分野】
【０００１】
　本発明は、
ＬＥＤが実装されたプリント回路基板と、このＬＥＤから発する熱を放熱させるための放熱部材等を備えた照明装置
（２ｂ）「【発明が解決しようとする課題】
【０００９】
　しかしながら、特許文献１の円筒状の照明装置は、照明装置内部の構造が複雑でＬＥＤの交換が容易に出来ない上に、ＬＥＤ交換のために一度解体すると再度組み付ける際に正しく組み付けることが容易ではなく装置内部の気密性が損なわれてしまう問題があった。
【００１０】
　　本発明は、上記問題に着目してなされたもので、ＬＥＤの交換が容易で、この交換によって
再度組み付けても装置内部の気密性を損ねることがない照明装置
（２ｃ）「【実施例１】
【００１５】
　まず、本発明に係る実施例１の照明装置の構成を説明する。
【００１６】
　
実施例１の照明装置１００は、図１乃至図３に示すように、プリント回路基板１４と、このプリント回路基板１４に実装される高輝度ＬＥＤ（発光手段）１４ｃ，・・・と、この高輝度ＬＥＤ１４ｃ，・・・から発する熱を放熱させるための放熱板１１
【００１７】
　プリント回路基板１４の長手方向の長さは、円筒状ケース１０のそれより短く設定され、その巾は円筒状ケース１０の内径よりやや小さく設定されている。
・・・
【００２０】
　
放熱板１１は、アルミや鉄等の金属製で、長方状の平板部１１ａと、その一端に一体形成された円板状の当接板部１１ｃとを有している。
・・・
【００２６】
　さらに、
右側面２１ｄ（図４において）において、この貫通穴２１ｆ，２１ｆの内側には、放熱板１１の端部１１ｄ（図２において左側）が嵌合する溝２１ｇが形成されている。また、この蓋部２１ａには後述するプラグ用取付金具１６差込み用の貫通穴２１ｈが形成されている。
（２ｄ）「【実施例２】
【００４８】
　照明装置２００は、図９および１０に示すように、
円筒状ケース１０の軸線に沿って屈曲形成された３つの平板部１４０ｆ，１４０ｇ，１４０ｈ（３つの回路基板）を有するプリント回路基板１４０と、円筒状ケース１０の軸線に沿って複数の平面部１１０ａ，１１０ｂ，１１０ｃを形成してプリント回路基板１４０の平板部１４０ｆ，１４０ｇ，１４０ｈの裏面に接合させた放熱部材１１０
【００４９】
　
プリント回路基板１４０の平板部１４０ｆ，１４０ｇ，１４０ｈの表面には高輝度ＬＥＤ１４ｃ，・・・が実装され、各平板部１４０ｆ，１４０ｇ，１４０ｈはそれぞれ異なる外側方向に向けられている。端部金属部材２２０の左側面２２０ｄには、全ネジ部材１３を通す為の貫通穴２２０ｆとネジ穴２２０ｚ，・・・が形成されている。
【００５０】
　端部金属部材２１０の右側面２１０ｄには、
放熱部材１１０の断面形状の凹部２１０Ｋが形成され、
【００５１】
　放熱部材１１０は、断面が六角形の長尺状に形成され、その長尺方向の長さが円筒ケース１０のそれより長く設定され、全ネジ部材１３を通すための貫通穴１１０ｅが形成されている。
【００５２】
　この放熱部材１１０の一端にはフランジ１１０ｚが設けられており、このフランジ１１０ｚにはネジ穴（不図示）が形成されている。この放熱部材１１０は、端部金属部材２２０の左側面２２０ｄにネジ固定されている。
【００５３】
　これによりフランジ１１０ｚの外側面が端部金属部材２２０の左側面２２０ｄに当接している。また、
放熱部材１１０の他端部は、端部金属部材２１０の凹部２１０ｋにその奥壁（底壁）と隙間が開いた状態で嵌合されている。
【００５４】
　
この嵌合により、端部金属部材２１０の凹部２１０ｋの貫通穴２１０ｆ、放熱部材１１０の貫通穴１１０ｅおよび端部金属部材２２０の貫通穴２２０ｆが一致し、この一致した穴に全ネジ１３が貫装される。
【００５５】
　なお、実施例１と同一の部材には同一符号を付してその説明を省略する。
【００５６】
　この実施例２の照明装置２００に拠れば、照明装置２００を組み付けた際に、放熱板１１０の他端面と端部金属部材２１０の凹部２１０ｋ（不図示）の底壁との間に隙間が生じるので、実施例１と同様に、パッキン２０，２０に最適な面圧となるようにナットＮ１の締め付けの程度を調整することができる。
【００５７】
　締結部材としての全ネジ部材１３が１本であるので、実施例１のものに比べて密閉構造が簡単で、円筒状ケース１０内の密閉性が損なわれる虞が少なくなるとともに交換作業がより一層容易となる。
【００５８】
　プリント回路基板１４０の平板部１４０ｆ，１４０ｇ，１４０ｈが、それぞれ異なる外側方向に向けられているので、広範囲に亘って照明することができる。」
（２ｅ）
　引用文献２には、以下の図が記載されている。
【図４】
【図９】
【図１０】
（３）　引用文献３の記載事項 
 　引用文献３には、以下の記載がある。
（３ａ）「【００３２】
　
図１において、取付け体１４の長手方向の両端面１４ｃ，１４ｄには、それぞれダボ２１の貫通孔２０に対応して設けられたねじ孔２３が形成されている。そして、ガラス管２内に取付け体１４を収容した状態で、口金４，５のそれぞれの凹部１９からねじ２２がねじ孔２３に完全に螺着されている。
（３ｂ）
　引用文献３には、以下の図が記載されている。
【図１】
【図２】
（４）　引用文献４の記載事項 
 　引用文献４には、以下の記載がある。
（４ａ）「【００１９】
　また、
口金３０は固定手段５０が取付けられる貫通孔３１ｃが底面部３１ａに形成されている。
（４ｂ）
　引用文献４には、以下の図が記載されている。
【図３】
（５）　引用文献５の記載事項 
 　引用文献５には、以下の記載がある。
（５ａ）「【０００１】
【産業上の利用分野】本発明は、
板状部材の支持構造に係り、さらに詳しくは、板ガラスなどからなる複数枚の板状部材を上下左右方向に同一平面を連続形成して取り付けることができる板状部材の支持構造に関する。
（５ｂ）「【００２６】また、本発明の実施に際し、例えば前記支持部材２１におけるボールスタッド２９の球部３０をステンレス材を用いて形成し、この球部３０を受け部２３により枢支しているソケット部２２をアルミニウム材を用いて形成するなど、その使用素材を異にしてボールスタッド２９の球部３０とソケット部２２とを形成している場合には、
個々の使用素材に対応するイオン化傾向の違いにより生ずる電食を防止するため、球部３０とソケット部２２との接触面３１又は２７の少なくともいずれか一方の側の面、好ましくは双方の接触面３１，２７に例えばフッソ樹脂やアクリル樹脂など、適宜の絶縁材を用いて絶縁層（図示せず）を形成しておくのが望ましい。
２　引用文献１に記載された発明
　引用文献１には、特許請求の範囲の請求項１の記載（摘示（１ａ））、その第１実施形態を説明する【００１３】（摘示（１ｂ））の記載、【００１６】〜【００２３】（摘示（１ｃ））の記載、【００２８】〜【００２９】（摘示）（１ｄ））の記載及び図３（摘示（１ｅ））によれば、次の発明（以下「引用発明」という。）が記載されているといえる。 
「　両端が開放した筒状のグローブ１１にＬＥＤユニット２０を収め、前記グローブ１１の両端縁１３の各々を閉塞部材３０に挿入して閉じた照明装置１において、
　前記筒状のグローブ１１は、透過性のある材料を用いて、断面略円形状に形成され、
　前記ＬＥＤユニット２０は、ＬＥＤモジュール２５と、電源モジュール２１と、ＬＥＤモジュール２５、及び、電源モジュール２１を一体に支持する断面略Ｖ字状に形成された支持体２４と、を備えるとともに、
　前記ＬＥＤモジュール２５は前記支持体２４の底面２４Ａに取り付けられ、
　前記電源モジュール２１は前記底面２４Ａの裏面に形成された中空部２４Ｃに取付け具２８により取り付けられ、
　前記ＬＥＤモジュール２５は、ＬＥＤ基板２６と、該ＬＥＤ基板２６に並べて複数実装されるＬＥＤ２７と、を備え、
　前記閉塞部材３０は、高熱伝導性材料であるアルミニウム合金などから形成され、その底部４０Ａには、外側から通される前記ねじ５で、前記ＬＥＤユニット２０の前記支持体２４の前記固定面２９を密着させてねじ止めするための４箇所のねじ孔４１及び該底部４０Ａの外周に沿った凹部３４が設けられるとともに、その環状部４０Ｂの外周の所定位置には、照明装置１を設置面に取り付けるための取付脚３８が固定される台座部３１が一体に設けられ、
　前記凹部３４には、前記グローブ１１の端縁１３によって、防水パッキン５０が押し込まれ、
　前記防水パッキン５０は、前記グローブ１１の端縁１３によって押圧変形して前記閉塞部材３０との間をシールする第１シール部５１と、前記グローブ１１端部の外側面と前記閉塞部材３０との間に挟まれてシールする第２シール部５２とを一体に備える
照明装置１。」
３　対比・判断 
３−１　本願発明１について 
（１）　対比 
　本願発明１と引用発明とを対比する。 
ア　引用発明の「透過性のある材料を用いて、断面略円形状に形成され」ている「両端が開放した筒状のグローブ１１」が、本願発明１の「両端が開放した円筒状透光パイプ」に相当する。
イ　引用発明の「筒状のグローブ１１」に収まっている「ＬＥＤユニット２０」の一部である「断面略Ｖ字状に形成された支持体２４」と、本願発明１の「同透光パイプの両端間内に収まる全長寸法とした平板状ベース板」とは、「同透光パイプの両端間内に収まる全長寸法としたベース板」を限度として共通する。
ウ　引用発明の「ＬＥＤ基板２６と、該ＬＥＤ基板２６に並べて複数実装されるＬＥＤ２７と、を備え」た「ＬＥＤモジュール２５」が、本願発明１の「ラインＬＥＤ群」に相当する。
エ　引用発明の「電源モジュール２１」が、本願発明１の「ＬＥＤ用電源」に相当する。
オ　上記イ〜エを踏まえると、引用発明の「ＬＥＤモジュール２５と、電源モジュール２１と、ＬＥＤモジュール２５、及び、電源モジュール２１を一体に支持する断面略Ｖ字状に形成された支持体２４と、を備えるとともに、ＬＥＤモジュール２５は支持体２４の底面２４Ａに取り付けられ、電源モジュール２１は底面２４Ａの裏面に形成された中空部２４Ｃに取付け具２８により取り付けられ」る「ＬＥＤユニット２０」と、本願発明１の「同透光パイプの両端間内に収まる全長寸法とした平板状ベース板表面に、ラインＬＥＤ群、同裏面にＬＥＤ用電源を搭載した光源ユニット」とは、「同透光パイプの両端間内に収まる全長寸法としたベース板表面に、ラインＬＥＤ群、同裏面にＬＥＤ用電源を搭載した光源ユニット」を限度として共通する。
カ　引用発明の「閉塞部材３０」は、「前記グローブ１１の両端縁１３の各々を」「挿入して閉じ」るものであり、「防水パッキン５０」によりシールしていることから、本願発明の「防水蓋」に相当するといえる。
　そして、上記アを踏まえ、図３及び図４（摘示（１ｅ））の記載も参照すれば、引用発明の「閉塞部材３０」は、本願発明１の「該透光パイプの両端」に「組み合わされ」る「夫々透光パイプの円環状端を上回る外径とした一対の円板状体」の構成を有している。
キ　引用発明の「閉塞部材３０」は、「底部４０Ａの外周に沿って、凹部３４が設けられ」、「防水パッキン５０」が、「前記グローブ１１の端縁１３によって前記凹部３４に押し込まれ」、「前記グローブ１１の端縁によって押圧変形して前記閉塞部材との間をシール」しているとともに、「グローブ１１」は「断面略円形状」である。
　また、「凹部３４」の内外径及び深さは、「防水パッキン５０」を適切に機能させるように、「グローブ１１の端縁１３」に対応する「防水パッキン５０」を介在させて嵌合可能な内外径及び深さに設定されているといえる。
　そして、引用発明の「防水パッキン５０」及び「凹部３４」が、本願発明１の「円環状パッキン」及び「円環状シール溝」にそれぞれ相当すること、及び、上記アを踏まえると、引用発明の「閉塞部材３０」は、本願発明１の「該透光パイプの円環状端に対峙する内側壁に、同透光パイプの円環状端が、該透光パイプ円環状端の先端に対応する円環状パッキンを介在させて嵌合可能な内外径および深さに設定した円環状シール溝が刻設される」構成を有している。
ク　引用発明の「閉塞部材３０」は、「高熱伝導性材料であるアルミニウム合金などから形成され」ており、「その底部４０Ａには、外側から通される前記ねじ５で、前記ＬＥＤユニット２０の前記支持体２４の前記固定面２９を密着させてねじ止めするための４箇所のねじ孔４１」が設けられている。
　そして、「ねじ孔４１」が本願発明１の「取付け孔」に相当するから、引用発明の「閉塞部材３０」は、本願発明１の「取付け孔が貫通、穿設された一対の熱伝導性に秀でた素材製」である構成を有している。
ケ　上記カ〜クを踏まえると、引用発明の「閉塞部材３０」と、本願発明１の「該透光パイプの両端に」「組み合わされ」る「夫々透光パイプの円環状端を上回る外径とした一対の円板状体からなり、該透光パイプの円環状端に対峙する内側壁に、同透光パイプの円環状端が、該透光パイプ円環状端の先端に対応する円環状パッキンを介在させて嵌合可能な内外径および深さに設定した円環状シール溝が刻設されると共に、該円環状シール溝内径より内側には、当該光源ユニットベース板の端縁を嵌合可能な一文字状の片支持溝が、略水平であって、何れか一方に配されることになるハーネス接続用プラグ形成に支障のない上方位置に刻設されると共に、各一文字状の左右巾方向中心を外した２箇所夫々には取付け孔が貫通、穿設された一対の熱伝導性に秀でた素材製の防水蓋」とは、「該透光パイプの両端に」「組み合わされ」る「夫々透光パイプの円環状端を上回る外径とした一対の円板状体からなり、該透光パイプの円環状端に対峙する内側壁に、同透光パイプの円環状端が、該透光パイプ円環状端の先端に対応する円環状パッキンを介在させて嵌合可能な内外径および深さに設定した円環状シール溝が刻設されると共に、取付け孔が貫通、穿設された一対の熱伝導性に秀でた素材製の防水蓋」を限度として共通する。
コ　引用発明の「ねじ５」が、本願発明１の「締付ネジ」に相当し、引用発明の「ねじ５」は、「グローブ１１」の両端に独立してねじ止めされている。
サ　上記ア、キ〜ク及びコを踏まえると、引用発明の「『閉塞部材３０』の『底部４０Ａには、外側から通される前記ねじ５で、前記ＬＥＤユニット２０の前記支持体２４の前記固定面２９を密着させてねじ止めするための４箇所のねじ孔４１及び該底部４０Ａの外周に沿った凹部３４が設けられ、前記凹部３４には、前記グローブ１１の端縁１３によって、防水パッキン５０が押し込まれ、前記防水パッキン５０は、前記グローブ１１の端縁１３によって押圧変形して前記閉塞部材３０との間をシールする第１シール部５１と、前記グローブ１１端部の外側面と前記閉塞部材３０との間に挟まれてシールする第２シール部５２とを一体に備える』」構成と、本願発明１の「同円環状シール溝内底部に円環状パッキンを挟み込み、同一文字状の片支持溝にベース板の端縁を伝熱可能にして挿入され、先の取付け孔夫々から、それら取付け孔に対応、形成されている光源ユニットのベース板端縁の各一対合計４箇所の否貫通型めくら穴状のネジ孔に、夫々、該透光パイプ両端毎に独立した合計４本の締付ネジを螺合、緊締して組み合わされ、各防水蓋が夫々当該透光パイプの対応端に向けて押圧され、各防水蓋環状シール溝が夫々当該透光パイプの両端に向けて嵌合・押圧し、各円環状パッキンが圧縮・密封状とされるようにして該透光パイプの両端の夫々に独立型となる緊締機構を介して締付け状装着とされた」構成とは、「同円環状シール溝内底部に円環状パッキンを挟み込み、先の取付け孔夫々から、それら取付け孔に対応、形成されている光源ユニットのベース板端縁のネジ孔に、夫々、該透光パイプ両端毎に独立した締付ネジを螺合、緊締して組み合わされ、各防水蓋が夫々当該透光パイプの対応端に向けて押圧され、各防水蓋環状シール溝が夫々当該透光パイプの両端に向けて嵌合・押圧し、各円環状パッキンが圧縮・密封状とされるようにして該透光パイプの両端の夫々に独立型となる緊締機構を介して締付け状装着とされた」構成を限度として共通する。
シ　引用文献１の図３（摘示（１ｅ））を参照すると、引用発明の「取付脚３８」は両側の「閉塞部材３０」の外側壁に一体化されて設けられている。
　そうすると、上記コを踏まえると、引用発明の「取付脚３８」の構成と、本願発明１の「それら各防水蓋の外側壁には、夫々熱伝導性に秀でた素材製の取付け脚が一体化され、各取付け脚のアース状接地部には、電食防止用絶縁膜が被着されて電気的絶縁状態に固定されて」いる構成とは、「それら各防水蓋の外側壁には、取付け脚が一体化され」ている構成を限度として共通する。
ス　引用発明の「照明装置」が、本願発明１の「照明装置」に相当する。
　上記ア〜スを総合すると、本願発明１と引用発明との一致点及び相違点は、以下のとおりである。 
  
＜一致点＞ 
「　両端が開放した円筒状透光パイプ内には、同透光パイプの両端間内に収まる全長寸法としたベース板表面に、ラインＬＥＤ群、同裏面にＬＥＤ用電源を搭載した光源ユニットが収容され、該透光パイプの両端には、夫々透光パイプの円環状端を上回る外径とした一対の円板状体からなり、該透光パイプの円環状端に対峙する内側壁に、同透光パイプの円環状端が、該透光パイプ円環状端の先端に対応する円環状パッキンを介在させて嵌合可能な内外径および深さに設定した円環状シール溝が刻設されると共に、取付け孔が貫通、穿設された一対の熱伝導性に秀でた素材製の防水蓋が、同円環状シール溝内底部に円環状パッキンを挟み込み、先の取付け孔夫々から、それら取付け孔に対応、形成されている光源ユニットのベース板端縁のネジ孔に、夫々、該透光パイプ両端毎に独立した締付ネジを螺合、緊締して組み合わされ、各防水蓋が夫々当該透光パイプの対応端に向けて押圧され、各防水蓋環状シール溝が夫々当該透光パイプの両端に向けて嵌合・押圧し、各円環状パッキンが圧縮・密封状とされるようにして該透光パイプの両端の夫々に独立型となる緊締機構を介して締付け状装着とされた上、それら各防水蓋の外側壁には、取付け脚が一体化された、照明装置。」 
  
 ＜相違点１＞ 
　本願発明１の「ベース板」は「平板状ベース板」であり、「円環状シール溝内径より内側には、当該光源ユニットベース板の端縁を嵌合可能な一文字状の片支持溝が、略水平であって、何れか一方に配されることになるハーネス接続用プラグ形成に支障のない上方位置に刻設される」とともに、「同一文字状の片支持溝にベース板の端縁を伝熱可能にして挿入され」、「各一文字状の左右巾方向中心を外した２箇所夫々には」「各一対合計４箇所の否貫通型めくら穴状のネジ孔」が設けられ、「合計４本の」締付ネジを螺合、緊締して組み合わされているのに対し、引用発明の「支持体２４」は「断面略Ｖ字状」であり、片側を「４箇所のねじ孔４１」すなわち、合計８箇所の「ネジ孔４１」により、「外側から通される前記ねじ５で、前記ＬＥＤユニット２０の前記支持体２４の前記固定面２９を密着させてねじ止め」している点。
＜相違点２＞
　本願発明１の「取付け脚」が、「夫々熱伝導性に秀でた素材製」であり、「各取付け脚のアース状接地部には、電食防止用絶縁膜が被着されて電気的絶縁状態に固定されて」いるのに対し、引用発明の「取付脚３８」は、かかる特定がされていない点。
＜相違点３＞
　本願発明は、「該透光パイプ両端毎に夫々独立型とされた前記緊締機構、該透光パイプ、該光源ユニットの平板状ベース板、および、一対の防水蓋の組み合わせが、互いの結合構造を相乗的に簡素化し、小型化および重量の軽量化を可能なものとされたこと」を特定しているのに対し、引用発明は、かかる特定をしていない点。
（２）判断 
（２−１）相違点１について
 
（２−１−１）引用文献２の実施例２について
　相違点１に関連して、原査定において引用文献２の実施例２を引用しているため、引用文献２の実施例２について検討する。
ア　引用文献２には、実施例２として、「ＬＥＤが実装されたプリント回路基板と、このＬＥＤから発する熱を放熱させるための放熱部材等を備えた照明装置」（摘示（２ａ））であって、「円筒状ケース１０の軸線に沿って屈曲形成された３つの平板部１４０ｆ，１４０ｇ，１４０ｈ（３つの回路基板）を有するプリント回路基板１４０」（摘示（２ｄ）【００４８】）は、その表面には「高輝度ＬＥＤ１４ｃ，・・・が実装」（摘示（２ｄ）【００４９】）されており、「円筒状ケース１０の軸線に沿って複数の平面部１１０ａ，１１０ｂ，１１０ｃを形成してプリント回路基板１４０の平板部１４０ｆ，１４０ｇ，１４０ｈの裏面に接合させた放熱部材１１０」（摘示（２ｄ）【００４８】）を備えているとともに、「放熱部材１１０の断面形状の凹部２１０Ｋが形成され、」（摘示（２ｄ）【００５０】）「放熱部材１１０の他端部は、端部金属部材２１０の凹部２１０ｋにその奥壁（底壁）と隙間が開いた状態で嵌合され」（摘示（２ｄ）【００５３】）、「この嵌合により、端部金属部材２１０の凹部２１０ｋの貫通穴２１０ｆ、放熱部材１１０の貫通穴１１０ｅおよび端部金属部材２２０の貫通穴２２０ｆが一致し、この一致した穴に全ネジ１３が貫装された」（摘示（２ｄ）【００５４】）ものが記載されている。
イ　本願発明１の「ベース板」は、「平板状」であり、その端縁を「一文字状の片支持溝」に嵌合可能とするものであるから、「平板状」とは、断面が「一文字状」であることを意味すると解される。
ウ　上記ア及びイを踏まえると、引用文献２の実施例２における「放熱部材１１０」は、本願発明１の「ベース板」に相当するといえるが、その形状は「複数の平面部１１０ａ，１１０ｂ，１１０ｃを形成して」いること及び図９（摘示（２ｅ））から、上記イを踏まえれば、「平板状」であるとはいえず、「放熱部材」が嵌合可能である「凹部２１０Ｋ」も、図１０（摘示（２ｅ））から、本願発明１の「一文字状の片支持溝」であるともいえない。
　さらに、「ベース板」の「各一文字状の左右巾方向中心を外した２箇所夫々には　各一対合計４箇所の否貫通型めくら穴状のネジ孔」が設けられ、「合計４本の締付ネジを螺合、緊締して組み合わされ」ている構成も記載も示唆もされていない。
（２−１−２）引用文献２の実施例１について
　引用文献２には、上記実施例２に加え、実施例１も記載されているので、以下、引用文献２の実施例１についても検討する。
ア　引用文献２には、実施例１として、「プリント回路基板１４と、このプリント回路基板１４に実装される高輝度ＬＥＤ（発光手段）１４ｃ，・・・と、この高輝度ＬＥＤ１４ｃ，・・・から発する熱を放熱させるための放熱板１１と」を備えた「照明装置１００」が記載されており（摘示（２ｃ）【００１６】）、「放熱板１１は、アルミや鉄等の金属製で、長方状の平板部１１ａと、その一端に一体形成された円板状の当接板部１１ｃとを有して」（摘示（２ｃ）【００２０】）いるとともに、その「蓋部２１ａ」の「右側面２１ｄ」には、「放熱板１１の端部１１ｄ（図２において左側）が嵌合する溝２１ｇが形成され」（摘示（２ｃ）【００２６】）ている。
　そして、図４（摘示（２ｅ））を参照すれば、「溝２１ｇ」の形状は「一文字状」といえる。
イ　しかし、引用文献２の実施例１には、「各一文字状の左右巾方向中心を外した２箇所夫々には　各一対合計４箇所の否貫通型めくら穴状のネジ孔」が設けられ、「合計４本の締付ネジを螺合、緊締して組み合わされ」ている点は記載も示唆もされていない。
（２−１−３）引用文献３〜５について
　原査定において、この出願の請求項１に係る発明は、引用文献１〜５（引用文献Ａ〜Ｅ）に記載された発明に基いて、その出願前にその発明の属する技術の分野における通常の知識を有する者が容易に発明をすることができたものであるとされていることから、引用文献３〜５についても検討する。
ア　引用文献３及び４には、蓋体（引用文献３の「口金４，５」（摘示（３ａ））及び引用文献４の「口金３０、４０」（摘示（４ａ））が相当）に２箇所の取付け孔（引用文献３の「貫通孔２０」（摘示（３ａ））が相当、図１及び図２を参照（摘示（３ｂ））、引用文献４については、図３（摘示（４ｂ））を参照）を設ける技術が記載されている。
イ　引用文献５には、「板状部材の支持構造」（摘示（５ａ））に関し、電食を防止するため、支持部材（引用文献５の「球部３０」が相当）と被支持部材（引用文献５の「ソケット部２２」が相当）の間に絶縁層を用いることが記載されている。
ウ　上記ア及びイのとおり、引用文献３〜５には、上記相違点１に係る本願発明１の構成は記載も示唆もされていない。
（２−１−４）小括
　以上のとおり、引用文献１〜５のいずれの文献にも、上記相違点１に係る本願発明１の「各一文字状の左右巾方向中心を外した２箇所夫々には　各一対合計４箇所の否貫通型めくら穴状のネジ孔」が設けられ、「合計４本の締付ネジを螺合、緊締して組み合わされ」ている構成は記載も示唆もされておらず、上記相違点１に係る本願発明１の構成は、当業者にとって、容易想到とはいえないものである。
　そして、本願発明１は、当該構成により、「部品構成を簡素化できると共に、組立工数を大幅削減して生産効率を一段と高めたものとすることが可能」となり、「緊締機構を簡素化し、照明装置の一層の小型・軽量化を達成可能なものとする」（【００１１】）という格別の効果を有する。
（２−２）その他の相違点について
　（２−１）のとおりであるから、上記相違点１に係る本願発明１の構成は容易想到とはいえないものであるから、その余の相違点を検討するまでもなく、本願発明１は、引用文献１〜５に記載された発明に基いて当業者が容易に発明をすることができたものとはいえない。
３−２　本願発明２及び３について
　本願発明２及び３は、本願発明１の発明特定事項を全て含み、さらに減縮したものであるから、本願発明１と同様に当業者が容易に発明をすることができたとはいえない。
第６　むすび 
　以上のとおり、原査定の理由によっては、本願を拒絶することはできない。 
　また、他に本願を拒絶すべき理由を発見しない。 
　よって、結論のとおり審決する。